(57)【要約】【課題】空気抵抗と重量の軽減を図ると同時に、カバー体の相対向した両端縁及び隣り合ったカバー体同士をしっかりと止着できるようにする。【解決手段】支持線を含めて架空ケーブルを被包できるようにほぼ円形断面形であって長さ方向に沿って縦裂きされている網目板状のカバー体１と、カバー体１の相対向した両端縁２ａを接合させて止着する帯板状の止め具４とを備え、カバー体１と止め具４は可撓性を有する合成樹脂製であって、止め具４には、カバー体１の両端縁２ａの接合部に当接する中間部分４ａを残して、中間部分４ａの左右にカバー体１の網目３の縁部３ａを挟着する挟着部５が設けられ、止め具４の左右両先端部はカバー体１の網目３の縁部３ａに係止するＵの字状のかぎ部６に形成されている。【選択図】  図１
2004282981.tif 000002
【特許請求の範囲】
【請求項１】
支持線を含めて架空ケーブルを被包できるようにほぼ円形断面形であって長さ方向に沿って縦裂きされている網目板状のカバー体と、このカバー体の相対向した両端縁または／および長手方向の接続端縁を接合させて止着する帯板状の止め具とを備え、カバー体と止め具は可撓性を有する合成樹脂製であって、止め具には中間部分を残して該中間部分の左右に該カバー体の網目の縁部を挟着する挟着部が設けられ、かつ、止め具の左右両先端部はカバー体の網目の縁部に係止するＵの字状のかぎ部に形成されていることを特徴とする架空ケーブルの保護カバー。
【請求項２】
カバー体の相対向した両端縁及び長手方向の接続端縁は網目を無くしたヘリ状部に形成されていることを特徴とする請求項１記載の架空ケーブルの保護カバー。
【発明の詳細な説明】
【０００１】
【発明の属する技術分野】
本発明は、架空電力線や樹木等との接触による、電気通信架空ケーブルの損傷を止するために用いる架空ケーブルの保護カバーに関する。
【０００２】
【従来の技術】
電気通信架空ケーブルの損傷を防止するために用いる架空ケーブルの保護カバーとしては、スパイラルハンガーと支持線を介して電柱間に架設される架空ケーブルに装着した時、頂部側となる一部の区域が網目状に形成されている楕円形等の非円形断面形の合成樹脂（例えば塩化ビニル）製パイプのものが広く知られている。この周知の保護カバーは下側が長さ方向に沿って切り裂かれ、ケーブルに装着した後で相対向した両端縁部を接合し、その接合部分を止着してケーブルを被包できるように構成されている。
【０００３】
【発明が解決しようとする課題】
ケーブルに装着された上記周知の保護カバーは、内部に雪が溜まり易いとか、蜂の巣が作られたりする恐れがあり、特に蜂の巣が作られた場合は、保護カバーは網目が頂部だけに形成されているため内部への見通しが悪く、蜂の巣を発見することが困難であって、作業員らは蜂による被害を受けるという危険がある。また、周知の保護カバーは風の通り抜けが悪くて空気抵抗が大きく、風圧により烈しく動揺して支持線は損傷したりする不具合の生じることも往々にしてある。
【０００４】
加えて、カバー自体は比較的に重量があり、また、扁平に展開したり、小さく丸めることができないので、輸送や格納時にはほぼ使用時の形態のままで収容しなければならず、嵩張って荷積み効率は極めて悪いという問題があった。
【０００５】
本発明はこのような問題を解決したものであって、その目的は空気抵抗と重量の軽減を図ると同時に、カバー体の相対向した両端縁、または相対向した両端縁および隣り合ったカバー体同士の接続端縁をしっかりと止着できて、ケーブルへの装着状態の安定性が向上してケーブルを有効に保護できるように改良した架空ケーブルの保護カバーを提供することにある。
【０００６】
【課題を解決するための手段】
上記目的を達成するために、本発明の特徴とする架空ケーブルの保護カバーは、支持線を含めて架空ケーブルを被包できるようにほぼ円形断面形であって長さ方向に沿って縦裂きされている網目板状のカバー体と、このカバー体の相対向した両端縁または／および長手方向の接続端縁を接合させて止着する帯板状の止め具とを備え、カバー体と止め具は可撓性を有する合成樹脂製であって、止め具には中間部分を残して該中間部分の左右に該カバー体の網目の縁部を挟着する挟着部が設けられ、かつ、止め具の左右両先端部はカバー体の網目の縁部に係止するＵの字状のかぎ部に形成されて成るものである。
【０００７】
この発明の構成において、カバー体の相対向した両端縁と長手方向の接続端縁は網目を無くしたヘリ状部に形成されているのが好ましく、これによりカバー体の全周縁は平板状に形成できて外観上の体裁が良くなり、網目の縁端に触れることにより生じ勝ちな損傷から指先等を保護できることは勿論、周縁を除いた他の部分が総て網目板状であることからカバー体の大幅な軽量化が達成できる。なお、可撓性を有する合成樹脂としては、例えば高密度ポリエチレン等の絶縁材が用いられる。
【０００８】
【発明の実施の形態】
以下に、本発明の実施の形態を図面を参照して説明する。１はスパイラルハンガーを支持する支持線ｗを含めて架空ケーブルｃを被包できるように（図４を参照）円形断面形に形成されている網目板状のカバー体（長さは、例えば１０００ｍｍ）であって、可撓性を有する合成樹脂製である。カバー本体１は長さ方向に沿って縦裂きされており、その相対向した両端縁２ａ，２ａと長手方向の接続端縁２ｂ，２ｂ、即ちカバー体１の全周縁は網目３を無くしたヘリ状部（少なくとも網目３のほぼ１．５個分に相当する幅）に形成されている。
【０００９】
４はカバー体１の相対向した両端縁２ａ，２ａ、または両端縁２ａ，２ａ及び接続されるカバー体１同士の長手方向の接続端縁２ｂ，２ｂを接合させて止着する帯板状の止め具であって、この止め具４は可撓性を有する合成樹脂製である。止め具４には、カバー体１の両端縁２ａ，２ａの接合部乃至は隣り合ったカバー体１，１の接続端縁２ｂ同士の突き合せによる接合部に当接する中間部分（他の部分より幅広く形成されている）４ａを残して、該中間部分４ａの左右に該カバー体１の網目３の一方の縁部３ａを挟着する挟着部５，５が設けられ、また、止め具４の左右両先端部は相対向した状態でカバー体１の上記網目３の他方の縁部３ａに係止するＵの字形のかぎ部６，６に形成されている。
【００１０】
挟着部５とかぎ部６は１個の網目３を跨ぐ間隔を置いて止め具４の片面側に突設され、特に、挟着部５は相対向したテーパー状の先端部が近接した状態に置かれている一対の挟着子５ａ，５ａを備え、その挟着子５ａ，５ａ間に網目３の縁部３ａを強い弾性作用によって挟着するように機能付けられており、また、カギ部６，６のうちの一方のかぎ部６は、カバー体１の網目３の縁部３ａとの係止操作が容易にできるように、自由端片の外面部が急なテーパー面６ａに形成されている。なお、止め具４は、例えば長さ７４ｍｍ、中間部分４ａを除いた幅５ｍｍ、肉厚１．５ｍｍのものが用いられる。
【００１１】
本保護カバーは上記の如くであって、図２及び図４に示すように相対向した両端縁２ａ，２ａを下側にしてカバー体１を開き、支持線ｗに支持させて架空ケーブルｃを被包した状態で両端縁２ａ，２ａを接合してカバー体１を閉じる。次に、止め具４の一方のかぎ部６をカバー体１の網目３の縁部３ａに係止させると共に隣設されている挟着部５を上記網目３の他方の縁部３に挟着させる。この挟着操作は、両挟着子５ａ，５ａの弾性に抗して、該両挟着子５ａ，５ａ間を通して網目３の縁部３ａを挟着部５に押し込むことにより果たされる。
【００１２】
次いで、止め具４の中間部分４ａを両端縁２ａ，２ａの接合部に当接させた状態で他方のかぎ部６とこれに隣設されている挟着部５を、上記のように操作して、カバー体１の網目３の縁部３ａに同時に取り付ける。この場合、止め具４は１個のカバー体１に間隔を置いて複数箇所（図示の場合は３箇所）に用いられ、この止着手段によってカバー体１の支持線ｃを含む架空ケーブルｃへの装着状態は強固に確定する。このようにして、必要数のカバー体１を順次支持線ｗに支持させてケーブルを被包し、隣り合ったカバー体１、１は接続端縁２ｂ、２ｂを突き合わせて止め具４により接続するものである。
【００１３】
【発明の効果】
本発明は上記の如くであって、網目板状のカバー体により空気抵抗と重量が軽減されて支持線を有効に保護できる。そして、カバー体は小径に巻き込みできるとことは勿論、ほぼ扁平に展開できるため、梱包や輸送等の取り扱いに便利であり、また、単一乃至は接続された複数個のカバー体の装着状態は止め具の挟着部とかぎ部の２段止めによって安定することは勿論、止め具はカバー体自体とカバー体同士の止着に併用できる経済的効果がある。
【図面の簡単な説明】
【図１】本発明の実施の形態を示すものであって、カバー体と止め具を分離した斜視図である。
【図２】カバー体の接合部が止め具により止着されている状態を示す要部の正断面図である。
【図３】図１に示す止め具の背面図である。
【図４】図１に示すものの使用状態を描いた概略的斜視図である。
【符号の説明】
１はカバー体
２ａ端縁
２ｂは接続端縁
３は網目
３ａは縁部
４は止め具
４ａは中間部分
５は挟着部
６はかぎ部
【図１】
2004282981.tif 000003
【図２】
2004282981.tif 000004
【図３】
2004282981.tif 000005
【図４】
2004282981.tif 000006